(57)【要約】【課題】本発明は、コンストラクションキーが不要で管理の手間が削減可能であることはもちろん、複数の建築現場で繰り返し使用することで費用負担が軽減でき、電気配線も容易に行うことができる施開錠装置を備えた仮設扉を提供することを可能にすることを目的としている。【解決手段】建築工事中の建物に設置された扉枠２を利用して取り付ける仮設扉１であって、開錠許可者を認証する認証部３と、該認証部３による認証時に開錠指示の電気信号を発信する電気信号制御部４と、を有するコントローラ本体５ａ，５ｂと、コントローラ固定部５ｃと、からなるコントローラユニット５と、前記電気信号により施開錠する電気錠６とを仮設扉本体１ａに組み込んだ構成としたことを特徴とする。【選択図】 図１
2010255396.tif 000002
【特許請求の範囲】
【請求項１】
建築工事中の建物に設置された扉枠を利用して取り付ける仮設扉であって、
開錠許可者を認証する認証部と、該認証部による認証時に開錠指示の電気信号を発信する電気信号制御部と、を有するコントローラ本体と、コントローラ固定部と、からなるコントローラユニットと、
前記電気信号により施開錠する電気錠と、を扉本体に組み込んだことを特徴とする仮設扉。
【請求項２】
前記コントローラユニットは、コントローラ本体よりも大きな外形寸法を有するコントローラ固定部を背面に備えており、前記コントローラ本体を前記認証部が室外側に面するように前記扉本体に穿たれた前記コントローラ本体の形状に対応した開口部に室内側から嵌め込まれ、前記コントローラ固定部を利用して室内側から前記扉本体に固定されたことを特徴とする請求項１に記載した仮設扉。
【請求項３】
前記コントローラユニットは、前記認証部を前記扉本体に穿たれた開口部の位置に対応させて前記扉本体の室内側から装着され、前記コントローラ固定部を利用して室内側から前記扉本体に固定されたことを特徴とする請求項１に記載した仮設扉。
【請求項４】
前記コントローラユニットは、前記扉本体に対して着脱自在に構成され、
前記扉本体は、厚さ方向の中心面に対して左右対称な形状をなし、前記コントローラの取り付け面を変更することによって左右勝手のみが異なる同一寸法の扉枠に取り付け可能であることを特徴とする請求項２または請求項３に記載した仮設扉。
【請求項５】
前記扉本体の下端と前記扉枠の下枠との間に、外部仮設電源から前記コントローラユニットに給電する為の電気ケーブルを挿通する空隙を設けたことを特徴とする請求項１乃至４の何れか１項に記載した仮設扉。
【請求項６】
前記扉本体の室内側、室外側の双方に前記コントローラ本体の認証部を備えたことを特徴とする請求項１乃至５の何れか１項に記載した仮設扉。
【請求項７】
前記コントローラ本体の認証部が単体であり、該認証部が非接触式ＩＣカードの情報を読み取る単体の非接触式カードリーダ部を備えており、前記扉本体の室内側、室外側のいずれの側から非接触式ＩＣカードがかざされても該非接触式ＩＣカードの情報を読み取り得るように構成されたことを特徴とする請求項１乃至５の何れか１項に記載した仮設扉。
【請求項８】
前記コントローラ本体に開錠者、開錠の日時等の開錠情報を記憶する記憶部を備えたことを特徴とする請求項６または請求項７に記載した仮設扉。
【請求項９】
前記コントローラ本体の前記記憶部に記憶された開錠情報を無線により送信する送信手段を有することを特徴とする請求項８に記載した仮設扉。
【発明の詳細な説明】
【技術分野】
【０００１】
本発明は、建築工事中の建物に設置された扉枠を利用して取り付ける仮設扉に関するものである。
【背景技術】
【０００２】
従来より、住宅等の小規模な建物の施工期間中は、施工道具や建築備品の盗難、不審火による火災等の防止の為、夜間や休日等、管理者や作業者が不在の際には玄関扉や窓の施錠を行っているが、この際、玄関扉等の扉のシリンダ錠の鍵の差し込み口にある特別なピンを差し込んでおき、ピンが差し込まれたシリンダ錠であればいかなる錠でも施開錠可能な共通の鍵（以下、「コンストラクションキー」という）を、施工に携わる業者に貸与し、建物内への出入りの際には、業者本人が扉の施開錠を行うようにするようにするのが一般的であった。なお、竣工時にはピンを抜き取ってコンストラクションキーの使用ができないようにするのである。
【０００３】
このようにすることで、現場の管理責任者である住宅メーカー等の建築請負業者は、施工現場に警備員を常駐させたり、施開錠の為に現場管理者が何度も施工現場に赴いたりする必要がなくなり、管理の手間を削減することができる。
特に、使用する部材が標準化され、同一仕様の玄関扉（玄関錠）を複数の建物で採用する工業化住宅においては、施工に携わる業者も固定化されており、同一のコンストラクションキーで多くの建物の扉の施開錠を可能とすることができるという点で好都合である。
【０００４】
しかし、多くの建物で同一のコンストラクションキーが使用できるということは、共通施工業者がコンストラクションキーを紛失したり、盗難被害に遭うなどして、万が一コンストラクションキーが第３者の手に渡った場合、施工中の他の建物が盗難の被害にあうリスクが非常に高くなり、管理責任を負う住宅メーカー等の建築請負業者にとっては、かえって管理が大変になるという問題があった。また、盗難被害を防ぐ為にコンストラクションキーを定期的に変更をした場合、その都度、多大な費用がかかるという問題があった。
【０００５】
また、従来より、施工中の建物では部材の搬入などの際には扉を傷つける虞があり、これを防止する為に施工中のみ仮設扉を取り付けておくことも行われている。このような場合であってもコンストラクションキーによって施開錠を行うのが一般的であり、同様の問題が懸念される。
【０００６】
一方、近年は指紋認証システム、カードキー、暗証番号及びそれらの組み合わせ等により入場許可者を認識して扉を開錠する制御装置が開発されている。例えば、特許文献１に記載の錠装置の制御装置は認証開始スイッチの投入により携帯機との交信を開始し、該携帯機に対する認証成立を条件にアクチュエータを駆動して錠装置を施解錠動作させるというものである。このような制御装置を備えた扉を施工中の建物にも取り付けることができれば、コンストラクションキーの使用による問題は解決される。
【先行技術文献】
【特許文献】
【０００７】
【特許文献１】特開２００６−２４１７６０号公報
【発明の概要】
【発明が解決しようとする課題】
【０００８】
しかしながら、一般的な機械的な錠を備えた扉の場合、電気配線を通すことも考慮されておらず、装置本体を固定するような構造にもなっていないので、このような制御装置を施工中に限定して扉に具備させることは難しく、導入の為には、建築主の希望に関係なくすべての扉をこのような制御装置を備えたものにしなければならない。従って、建築主に選択肢を与えず高価な制御装置の採用を強要しなければならない。また、建築主が使用する制御装置を長期間に亘って施工業者等が先行して使用するのは部外者にセキュリティ上の機密を開示しているようなものであり建築主にとってはセキュリティ上の不安がある。従って建築主の不満につながるという問題があった。また、制御装置を作動させる為の電気配線の先行工事が必要であり、例えば室内の分電盤からの給電を前提に配線の取り出しがなされるものに対して、施工中は外部の仮設電源から給電しなければならず、配線を通すルートを確保することが難しいという問題も存在した。
【０００９】
本発明は、このような従来技術の持つ課題を解決するものであり、コンストラクションキーが不要で管理の手間が削減可能であることはもちろん、複数の建築現場で繰り返し使用することで費用負担が軽減でき、電気配線も容易に行うことができる施開錠装置を備えた仮設扉を提供することを目的とするものである。
【課題を解決するための手段】
【００１０】
前記目的を達成するための本発明に係る仮設扉の第１の構成は、建築工事中の建物に設置された扉枠を利用して取り付ける仮設扉であって、開錠許可者を認証する認証部と、該認証部による認証時に開錠指示の電気信号を発信する電気信号制御部と、を有するコントローラ本体と、コントローラ固定部と、からなるコントローラユニットと、前記電気信号により施開錠する電気錠とを扉本体に組み込んだことを特徴とする。
【００１１】
また、本発明に係る仮設扉の第２の構成は、前記第１の構成において、前記コントローラユニットは、コントローラ本体よりも大きな外形寸法を有するコントローラ固定部を背面に備えており、前記コントローラ本体を前記認証部が室外側に面するように前記扉本体に穿たれた前記コントローラ本体の形状に対応した開口部に室内側から嵌め込まれ、前記コントローラ固定部を利用して室内側から前記扉本体に固定されたことを特徴とする。
【００１２】
また、本発明に係る仮設扉の第３の構成は、前記第１の構成において、前記コントローラユニットは、前記認証部を前記扉本体に穿たれた開口部の位置に対応させて前記扉本体の室内側から装着され、前記コントローラ固定部を利用して室内側から前記扉本体に固定されたことを特徴とする。
【００１３】
また、本発明に係る仮設扉の第４の構成は、前記第２、第３の構成において、前記コントローラユニットは、前記扉本体に対して着脱自在に構成され、前記扉本体は、厚さ方向の中心面に対して左右対称な形状をなし、前記コントローラの取り付け面を変更することによって左右勝手のみが異なる同一寸法の扉枠に取り付け可能であることを特徴とする。
【００１４】
また、本発明に係る仮設扉の第５の構成は、前記第１〜第４の構成において、前記扉本体の下端と前記扉枠の下枠との間に、外部仮設電源から前記コントローラユニットに給電する為の電気ケーブルを挿通する空隙を設けたことを特徴とする。
また、本発明に係る仮設扉の第６の構成は、前記第１〜第５の構成において、前記扉本体の室内側、室外側の双方に前記コントローラ本体の認証部を備えたことを特徴とする。
【００１５】
また、本発明に係る仮設扉の第７の構成は、前記第１〜第５の構成において、前記コントローラ本体の認証部が単体であり、該認証部が非接触式ＩＣカードの情報を読み取る単体の非接触式カードリーダ部を備えており、前記扉本体の室内側、室外側のいずれの側から非接触式ＩＣカードがかざされても該非接触式ＩＣカードの情報を読み取り得るように構成されたことを特徴とする。
また、本発明に係る仮設扉の第８の構成は、前記第１〜第７の構成において、前記コントローラ本体に開錠者、開錠の日時等の開錠情報を記憶する記憶部を備えたことを特徴とする。
【００１６】
また、本発明に係る仮設扉の第９の構成は、前記第８の構成において、前記コントローラ本体の前記記憶部に記憶された開錠情報を無線により送信する送信手段を有することを特徴とする。
【発明の効果】
【００１７】
本発明に係る仮設扉の第１の構成によれば、仮設扉に電気錠及びコントローラユニットを備えているので、扉枠や建物本体になんら手を加えることなく、本設扉を仮設扉に置き換えるという簡易な方法でコンストラクションキーを使用しない施開錠装置を具備することができる。また、同一仕様の扉枠に繰り返し使用ができるので、建物１棟あたりのコストを抑えることができる。
本発明に係る仮設扉の第２、第３の構成によれば、高価なコントローラユニットを室内側で固定しており、室外側から剥ぎ取られることがないので盗難の被害を防止することができる。
【００１８】
本発明に係る仮設扉の第４の構成によれば、仮設扉本体には左右勝手がないので単一の扉で開き勝手の異なる扉枠に対応することができ、製品の製造コストや管理の手間を更に低減させることができる。
本発明に係る仮設扉の第５の構成によれば、仮設扉の下方に隙間を設けてあるので、外部の仮設電源とのつなぎこみを容易に行うことができる。
本発明に係る仮設扉の第６の構成によれば、扉本体の室内側、室外側の双方にコントローラ本体の認証部を備えたことで入場時と退場時の両方で認証を行うことが出来る。
【００１９】
本発明に係る仮設扉の第７の構成によれば、単体の認証部で室内側、室外側のいずれの側からも非接触式ＩＣカードリーダの情報を読み取ることができるので、構成が単純化されて製造コストを低減させることができる。
本発明に係る仮設扉の第８の構成によれば、コントローラ本体を２セット備え、入場時と退場時にその操作を行うようにするとともに、コントローラ本体には操作を行った人物やその日時等の開錠情報を記憶させる記憶部を備えたので、その開錠情報を職工の労務管理のためのデータとして容易に利用することができる。
【００２０】
本発明に係る仮設扉の第９の構成によれば、記憶部に記憶された開錠情報を無線で送信する送信手段を設けたので、職工の労務管理を更に容易に行うことができ、現場の状況を遠隔地からリアルタイムで把握することもできる。
【図面の簡単な説明】
【００２１】
【図１】本発明に係る仮設扉の第１実施形態の構成を示す模式説明図である。
【図２】本発明に係る仮設扉の第１実施形態の構成を示す模式説明図である。
【図３】本発明に係る仮設扉の第１実施形態の構成を示す模式説明図である。
【図４】本発明に係る仮設扉に設けられた制御系の構成を示すブロック図である。
【図５】本発明に係る仮設扉の第２実施形態の構成を示す分解斜視図である。
【図６】本発明に係る仮設扉の第２実施形態の構成を示す模式説明図である。
【図７】本発明に係る仮設扉の第３実施形態の認証部の構成を示す図である。
【発明を実施するための形態】
【００２２】
図により本発明に係る仮設扉の一実施形態を具体的に説明する。図１〜図３は本発明に係る仮設扉の第１実施形態の構成を示す模式説明図、図４は本発明に係る仮設扉に設けられた制御系の構成を示すブロック図である。
図１〜図４において、１は建築工事中の建物に設置された扉枠２を利用して取り付ける仮設扉であって、開錠許可者を認証する認証部３と、該認証部３による認証時に開錠指示の電気信号を発信する電気信号制御部４と、を有するコントローラ５と、前記電気信号により施開錠する電気錠６とを仮設扉本体１ａに組み込んだものである。
【００２３】
仮設扉１が適用される建物としては、例えば、鉄骨の軸組にＡＬＣ（軽量気泡コンクリート）からなる壁パネルと開口パネルを組み合わせて外壁面が形成された工業化住宅に適用可能であり、それらは３０５mmの平面モジュールを有している。
【００２４】
扉枠２は、竣工時点までに仮設扉１と交換され最終的に設置される扉（以下、「本設扉」という）に対応したものであり、建物の躯体工事において、柱・梁等によって架構が組み立てられた後に、壁パネルや開口パネル（窓サッシ）等とともに取り付けられる。また、扉枠２は平面モジュールに対応した幅を有しており、同一規格の工業化住宅の他の建物にも汎用的に使用される。本実施形態の扉枠２は特別に電気錠等に対応したものである必要はない。
【００２５】
また、図示しないドアクローザーが仮設扉１（本設扉を含む）と扉枠２とに跨って取り付けられ、仮設扉１の開く角度や閉じる速度を調整したり該仮設扉１を開いた状態に保持する機能を有する。ドアクローザーは仮設扉１（本設扉を含む）や扉枠２の左右勝手に対応したものが該扉枠２とともに建築現場に搬入され、一端が扉枠２に固定され、他端が仮設扉１に固定される。
【００２６】
また、仮設扉１（本設扉を含む）側の部品と、扉枠２側の部品とがヒンジ部で軸と軸受け部分で分離可能な抜き差し丁番14が設けられ、該丁番14は仮設扉１（本設扉を含む）の回動の軸となる部品である。また、仮設扉１（本設扉を含む）をボルトにより締結する為のボルト孔は左右勝手（ヒンジ部の位置）に関係なく左右対称である。仮設扉１（本設扉を含む）や扉枠２の左右勝手に対応したものが建築現場に搬入される。
仮設扉１は、建物に扉枠２が取り付けられた後に吊り込まれ、施工期間中のみ使用される扉であり、仮設扉本体１ａと、コントローラユニット５と、電気錠６と、送信手段11とを有して構成されている。
【００２７】
仮設扉本体１ａは、本設扉と基本的に同一の外形寸法を有し、丁番14を固定するボルト孔1a4の位置や、デッドボルト、ラッチボルトの位置なども本設扉と同一である。但し、高さ寸法のみ本設扉よりも若干短く、扉枠２に設置した状態で下枠２ａ（床仕上面）と仮設扉本体１ａの下端1a2との間に隙間となる空隙９が形成されるようになっている。
【００２８】
仮設扉本体１ａの中央部には、室外側のコントローラ本体５ａを嵌め込む為の該コントローラ本体５ａの寸法に対応した形状の開口部1a1が設けられている。また仮設扉本体１ａに設けられた開口部1a1の周囲にはコントローラ固定部５ｃを貫通ボルト12にて固定する際に使用するボルト孔1a3が４つ穿たれている。このボルト孔1a3は、コントローラ本体５ａの雨掛かりを防止する為の断面コ字形状で枠体からなる庇13を固定する為にも使用される。
【００２９】
仮設扉本体１ａの一方の側端面の所定の位置には、図１に示すように、丁番14取り付け用のタップ加工されたボルト孔1a4が設けられている。ボルト孔1a4は左右対称であり、丁番14の左右勝手に関係なくボルト固定ができる。
仮設扉本体１ａの丁番14取り付け用のボルト孔1a4が穿設されている側である吊り元側上部の両面の所定の位置にはドアクローザー取り付け用のタップ加工されたボルト孔1a5が設けられている。仮設扉本体１ａの吊り元側とは反対側の所定の位置には電気錠６の収納部1a6が設けられている。
上記の各構成は、すべて仮設扉本体１ａの厚さ方向の中心面に対して左右対称（即ち、室内側と室外側とが鏡映対称）形状をなしている。
【００３０】
コントローラユニット５は、室内外側にそれぞれ設けられるコントローラ本体５ａ，５ｂよりも大きな外形寸法を有するコントローラ固定部５ｃを背面に備えており、室外側のコントローラ本体５ａを認証部３が室外側に面するように室内側から仮設扉本体１ａに穿たれたコントローラ本体５ａの形状に対応した開口部1a1に嵌め込み、前記コントローラ固定部５ｃを利用して室内側から仮設扉本体１ａに固定したものである。
また、コントローラユニット５は、仮設扉本体１ａに対して着脱自在に構成され、該仮設扉本体１ａは、該コントローラユニット５の取り付け面を変更することによって左右勝手のみが異なる同一寸法の扉枠２に取り付け可能である。
【００３１】
各コントローラ本体５ａ，５ｂは、その外形が略直方体形状であり、表面側に認証部３を構成する非接触式ＩＣカードからなるカードキーの情報を読み取る非接触式のカードリーダ部３ａと、指紋を認証する指紋センサ部３ｂとを有する。尚、コントローラ本体５ａ，５ｂは株式会社セキュアにより市販されている「ｂｉｏｅｎｔｒｙ  Ｐｌｕｓ（商品名）」等により容易に構成することが出来る。本製品はカードキー、指紋認証、カードキー＋指紋認証の３通りの方法で認証するものであるが、本発明は、これに限定されるものではなく、テンキーを備え暗証番号の入力で認証するものや、これらの組み合わせで認証するものであっても良い。
【００３２】
コントローラ固定部５ｃは室内側、室外側にそれぞれ設けられる２機のコントローラ本体５ａ，５ｂの背面でサンドイッチされた状態となっており、該コントローラ固定部５ｃの室外側となるコントローラ本体５ａ側の面は断面コ字形状の枠体からなる庇13の固定片13ａを介在して仮設扉本体１ａの室内側の面に対向して配置され、貫通ボルト12で仮設扉本体１ａに固定する為のボルト孔を有する。
室外側のコントローラ本体５ａを取り付けるためのコントローラ固定部５ｃのボルト孔の位置は、該コントローラ本体５ａを挿入する仮設扉本体１ａの開口部1a1の位置に対応して設けられている。
【００３３】
庇13は電子部品を多用するコントローラ本体５ａ，５ｂを水濡れによる故障から守るためのものであり、コントローラユニット５の取り付け時に貫通ボルト12でコントローラ固定部５ｃと共縫いして取り付ける。
【００３４】
仮設扉本体１ａの室内外側にそれぞれ設けられるコントローラ本体５ａ，５ｂの各認証部３による開錠許可者を認証する認証時に電気信号制御部４から開錠指示の電気信号を発信して電気錠６に送り、該電気錠６により施開錠する。電気錠６は、例えば、株式会社ゴールにより市販されている「電気錠  ＥＸＳシリーズ、ＥＸＭシリーズ（商品名）」等により容易に構成することが出来る。
【００３５】
このような電気錠６は、室内外側両面にそれぞれサムターンシリンダとレバーハンドルとを備えており、室外側と室内側との区別がなく、扉枠２の左右勝手に関係なく仮設扉１（本設扉を含む）に対して装着することができる。
電気錠６はリード線６ａにてコントローラユニット５の電気信号制御部４となるリレー出力部と接続され、該リレー出力部からの通電や通電の停止等によって、施錠、開錠される。尚、サムターンシリンダに鍵を差し込んで開錠することもできるようになっている。
【００３６】
各コントローラ本体５ａ，５ｂは記憶部10であるメモリーと、認証部３であるＣＰＵ（中央演算装置）を内蔵している。記憶部10であるメモリーには指紋テンプレートとイベントログ（入退室者とその時刻）からなる開錠情報が記憶される。
また、コントローラユニット５にはコントローラ本体５ａ，５ｂの各記憶部10に記憶されたイベントログからなる開錠情報を無線により送信する送信手段11を有する。
送信手段11は無線送信手段を備えており、コントローラ本体５ａ，５ｂの記憶部10となるメモリーに記憶されたイベントログからなる開錠情報を無線で管理用ＰＣ（パーソナルコンピュータ）に送信することができる。
【００３７】
尚、本実施形態ではコントローラ本体５ａ，５ｂは室内外側に２機であるが、室外側にコントローラ本体５ａのみを１機とし、室外側から開錠して室内に入る場合のみ入場者を認証し、退出時の操作を省略しても良い。
また、仮設扉本体１ａの下端1a2と扉枠２の下枠２ａとの間に、外部仮設電源７からコントローラ５に給電する為の電気ケーブル８を挿通する空隙９を設けている。
また、仮設扉本体１ａの室外側と室内側の双方にコントローラ本体５ａ，５ｂをそれぞれ備えるとともに、該コントローラ本体５ａ，５ｂに開錠者、開錠の日時等の開錠情報を記憶する記憶部10をそれぞれ備えている。
【００３８】
上記仮設扉１の設置手順としては、先ず、建築現場での仮設扉１吊り込み前の準備作業を行なう。建築現場の扉枠２に設置する本設扉の左右勝手を考慮して、仮設扉本体１ａの室内側になる面から室外側コントローラ本体５ａを仮設扉本体１ａの開口部1a1に嵌め込み、貫通ボルト12にてコントローラ固定部５ｃを固定する。この際、庇13も共縫いする。
【００３９】
次に、電気錠６を仮設扉本体１ａに装着する。該仮設扉本体１ａの中空部を利用してコントローラ本体５ａ，５ｂの電気信号制御部４と電気錠６とをリード線６ａで接続する。
次に現場での設置作業として、丁番14の仮設扉本体１ａ側部品を仮設扉１に固定したうえで、該仮設扉１を扉枠２に吊り込む。仮設扉本体１ａと扉枠２との間にドアクローザーを取り付ける。コントローラユニット５の電気ケーブル８となる電源コードを仮設扉１の下方の隙間となる空隙９から室外に出し、図示しない外部仮設電源７に接続する。
次に、建築工事完了時に仮設扉１に取り付けた丁番14の仮設扉本体１ａ側部品を取り外して、該仮設扉１を取り外し、丁番14の扉側部品を本設扉に取り付け、本設扉を扉枠２に吊り込む。
【００４０】
上記構成によれば、仮設扉１に電気錠６及びコントローラユニット５を備えているので、扉枠２や建物本体になんら手を加えることなく、本設扉を仮設扉１に置き換えるという簡易な方法でコンストラクションキーを使用しない施開錠装置を具備することができる。また、同一仕様の扉枠２に繰り返し使用ができるので、建物１棟あたりのコストを抑えることができる。
【００４１】
また、高価なコントローラユニット５を室内側で固定しており、室外側から剥ぎ取られることがないので盗難の被害を防止することができる。
また、仮設扉本体１ａには左右勝手がないので単一の扉で開き勝手の異なる扉枠２に対応することができ、製品の製造コストや管理の手間を更に低減させることができる。
また、仮設扉１の下方に空隙９からなる隙間を設けてあるので、外部仮設電源７とのつなぎこみを容易に行うことができる。
また、仮設扉本体１ａの室内側、室外側の双方にコントローラ本体５ａ，５ｂの認証部３を備えたことで入場時と退場時の両方で認証を行うことが出来、セキュリティ性に優れる。
【００４２】
また、コントローラ本体５ａ，５ｂを２セット備え、入場時と退場時にその操作を行うようにするとともに、各コントローラ本体５ａ，５ｂには操作を行った人物やその日時等の開錠情報を記憶させる記憶部10を備えたので、その開錠情報を職工の労務管理のためのデータとして容易に利用することができる。
また、記憶部10に記憶された開錠情報を無線で送信する送信手段11を設けたので、職工の労務管理を更に容易に行うことができ、現場の状況を遠隔地からリアルタイムで把握することもできる。
【００４３】
次に、図５及び図６を用いて本発明に係る仮設扉の第２実施形態について説明する。本実施形態では、コントローラユニット５は、認証部３を仮設扉本体１ａに穿たれた開口部1a1の位置に対応させて該仮設扉本体１ａの室内側から装着され、認証部３が露出する方形状の開口部５ｄが形成された平板状のコントローラ固定部５ｃを利用して室内側から仮設扉本体１ａに固定されたものである。
【００４４】
仮設扉本体１ａにはコントローラ固定部５ｃの外形寸法よりも小さな開口部1a1が設けられている。開口部1a1の両面の四隅近傍には室外側に取り付けられたナット部15ｂに室内側から手回しで螺合可能なネジ部と円形の頭部を有すると共に該頭部の外周に凹凸が設けられた掛止ネジ15ａが設けられている。
【００４５】
仮設扉本体１ａの開口部1a1の下方にはネジで該仮設扉本体１ａの両面に対して着脱可能な２口の防水型コンセント16が設置されている。仮設扉本体１ａの下端1a2から該仮設扉本体１ａの中空内部に電気ケーブル８が引き込まれており、該電気ケーブル８の一方の端子が防水型コンセント16に接続され、室外側（仮設電柱側）となる他方の端子にプラグ８ａが接続されている。
【００４６】
コントローラユニット５は、コントローラ本体５ａ，５ｂ、送信手段11であるＰＨＳ（Personal HandyphoneSystem）、夫々の機器に対して交流電源を直流電源に変換するＡＣアダプタ17がコントローラボックス５ｅ内に収容されている。コントローラ本体５ａ，５ｂは合成樹脂製の筐体を有し、夫々認証部３を備えており、更に夫々の認証部３は非接触式カードリーダ部３ａを有しており、ふたつの非接触式カードリーダ部３ａが夫々コントローラボックス５ｅの表面及び背面に面している。コントローラボックス５ｅは合成樹脂製の箱体であり表側は止ネジで着脱可能な蓋となっている。コントローラボックス５ｅは合成樹脂板等で構成されているので、コントローラボックス５ｅの表面または背面越しに非接触式ＩＣカードからなるカードキーの情報の読み取りや認証が可能である。
【００４７】
コントローラボックス５ｅの下端面にはケーブル類を引き出すための孔が設けられており、ＰＨＳのアンテナ11ａに接続される通信ケーブル18と、ＡＣアダプタ17の電気ケーブル17ａが外部に引き出されている。アンテナ11ａはマグネットを備え、鋼製の仮設扉本体１ａ表面の適当な位置に磁力で固定される。ＡＣアダプタ17の電気ケーブル17ａのプラグ17a1は防水型コンセント16に差しこまれる。
【００４８】
コントローラボックス５ｅの背面部には矩形の金属板の中央部が刳り貫かれたコントローラ固定部５ｃがビス固定されている。コントローラ固定部５ｃの四隅には掛止ネジ15ａの頭部の外径よりも大きな径の孔に連続して該掛止ネジ15ａの頭部の外径よりも小さく、該掛止ネジのネジ部の外径よりも大きい幅寸法を有するスリットが設けられた掛止穴5c1が穿たれている。
【００４９】
コントローラボックス５ｅは、仮設扉本体１ａの開口部1a1に対応した位置にコントローラ本体５ａ，５ｂが配置されるようにコントローラ固定部５ｃの掛止穴5c1が掛止ネジ15ａに掛止され、該掛止ネジ15ａをねじ込むことで仮設扉本体１ａに固定される。他の構成は前記第１実施形態と同様に構成され、同様の効果を得ることが出来る。
【００５０】
本実施形態では、前記第１実施形態の効果に加えてコントローラボックス５ｅの仮設扉本体１ａへの着脱操作が容易である。コントローラ本体５ａ，５ｂ、送信手段11であるＰＨＳがコントローラボックス５ｅ内で保護されるので雨水の浸入や資材等がぶつかることによる故障や破損を防止することができる。
【００５１】
本実施形態のコントローラユニット５は、仮設扉１がない状態であっても、適当な場所に掛止ネジ15ａを有する掛止部を設けて設置し、単独で建築現場での職工の労務管理用のツールとして使用することが可能である。例えば、基礎工事中に、仮設電柱に設けた掛止部にコントローラユニット５を固定しておき、基礎工事作業者が作業開始時及び作業終了時に認証部３の非接触式カードリーダ部３ａが背後に控えたコントローラボックス５ｅの表面または裏面に非接触式ＩＣカードからなるカードキーをかざすことで、作業の開始時間と終了時間（職工の現場到着時間と退去時間）が記憶部10に記録され、該記録情報をＰＨＳにて無線送信することによって現場から離れた場所での労務管理ができる。特に現場事務所を設置せず管理者も常駐しない戸建住宅等の小規模な建物の建築工事において有効に活用することができる。
【００５２】
次に図７を用いて本発明に係る仮設扉の第３実施形態について説明する。本実施例では後述する認証部３以外の構成については第２実施例に準じている。本実施例のコントローラユニット５は単体のコントローラ本体５ａからなる。すなわち認証部３や非接触式カードリーダ部３ａも単体である。非接触式カードリーダ部３ａは、ワイヤーをコイル状に巻回して形成したループアンテナ３ａ１を有しており、コントローラボックス５ｅの内部において、ループアンテナ３ａ１を含む平面がコントローラボックス５ｅの表面（室内側を向く面）及び背面（室外側を向く面）と平行となるように、むき出しの状態で配設されており、仮設扉本体１ａに取り付けられた状態で室外側と室内側のいずれの側からカードキーがかざされた場合でも該カードキーの情報を非接触式カードリーダ部３ａで読み取り認証部３で認証しうるように構成されている。このように構成が単純化されることによって製造コストを低減させることができる。
【産業上の利用可能性】
【００５３】
本発明の活用例として、戸建住宅以外にもマンション等の集合住宅の建築現場に利用する仮設扉に適用出来る。
【符号の説明】
【００５４】
１         …仮設扉
１ａ       …仮設扉本体
1a1        …開口部
1a2        …下端
1a3〜1a5   …ボルト孔
1a6        …収納部
２         …扉枠
２ａ       …下枠
３         …認証部
３ａ       …カードリーダ部
３ｂ       …指紋センサ部
４         …電気信号制御部
５         …コントローラユニット
５ａ，５ｂ …コントローラ本体
５ｃ       …コントローラ固定部
5c1        …掛止穴
５ｄ       …開口部
５ｅ       …コントローラボックス
６         …電気錠
６ａ       …リード線
７         …外部仮設電源
８         …電気ケーブル
８ａ       …プラグ
９         …空隙
10         …記憶部
11         …送信手段
11ａ       …アンテナ
12         …貫通ボルト
13         …庇
13ａ       …固定片
14         …丁番
15ａ       …掛止ネジ
15ｂ       …ナット部
16         …防水型コンセント
17         …ＡＣアダプタ
17ａ       …電気ケーブル
17a1       …プラグ
18         …通信ケーブル
【図１】
2010255396.tif 000003
【図２】
2010255396.tif 000004
【図３】
2010255396.tif 000005
【図４】
2010255396.tif 000006
【図５】
2010255396.tif 000007
【図６】
2010255396.tif 000008
【図７】
2010255396.tif 000009